(57)【要約】【課題】ＳＤ番組映像をＨＤサーバに収録する場合や、ＨＤサーバにＨＤ番組映像として蓄積されたＳＤ番組映像を送出する場合にＶＢＩデータが歪まないようにする。【解決手段】収録ＳＤ番組映像をＳＤ／ＨＤ変換して変換ＨＤ番組映像を生成すると共に、収録ＳＤ番組映像中のＶＢＩ領域の各ＳＤ補助データを変換ＨＤ番組映像中の予め定められた対応ＨＤ走査線に重畳するアップコンバータ１３、収録ＨＤ番組映像及び変換ＨＤ番組映像を蓄積し、送出指令に従って出力するサーバ１５、及びサーバ１５から出力される変換ＨＤ番組映像をＨＤ／ＳＤ変換して送出ＳＤ番組映像を生成すると共に、サーバ１５から出力された変換ＨＤ番組映像中のＶＢＩ領域の各ＨＤ補助データを送出ＳＤ番組映像中の予め定められた対応ＳＤ走査線に重畳するダウンコンバータ１８を有する。【選択図】  図１
2008236332.tif 000002
【特許請求の範囲】
【請求項１】
収録ＳＤ(Standard Definition)番組映像をＳＤ／ＨＤ変換して変換ＨＤ(High Definition)番組映像を生成するステップと、
サーバに収録ＨＤ番組映像及び前記変換ＨＤ番組映像を蓄積するステップと、
前記収録ＳＤ番組映像中の第１のＶＢＩ(Vertical Blanking Interval）領域の各ＳＤ補助データを前記変換ＨＤ番組映像中の予め定められた対応ＨＤ補助データに載せ替えるステップと、
前記サーバから前記収録ＨＤ番組映像及び前記変換ＨＤ番組映像を送出指令に従って出力するステップと、
前記サーバから出力される変換ＨＤ番組映像をＨＤ／ＳＤ変換して送出ＳＤ番組映像を生成するステップと、
前記サーバから出力される変換ＨＤ番組映像中の第２のＶＢＩ領域の各ＨＤ補助データを前記送出ＳＤ番組映像中の予め定められた対応ＳＤ補助データに載せ替えるステップと、を具備することを特徴とするビデオ処理方法。
【請求項２】
収録ＳＤ(Standard Definition)番組映像をＳＤ／ＨＤ変換して変換ＨＤ(High Definition)番組映像を生成すると共に、前記収録ＳＤ番組映像中の第１のＶＢＩ(Vertical Blanking Interval）領域の各ＳＤ補助データを前記変換ＨＤ番組映像中の予め定められた対応ＨＤ補助データに重畳するアップコンバータと、
収録ＨＤ番組映像及び前記変換ＨＤ番組映像を蓄積し、送出指令に従って出力するサーバと、
前記サーバから出力される変換ＨＤ番組映像をＨＤ／ＳＤ変換して送出ＳＤ番組映像を生成すると共に、前記サーバから出力される変換ＨＤ番組映像中の第２のＶＢＩ領域の各ＨＤ補助データを前記送出ＳＤ番組映像中の予め定められた対応ＳＤ補助データに重畳するダウンコンバータと、を具備することを特徴とするビデオサーバシステム。
【請求項３】
前記アップコンバータは、前記第１のＶＢＩ領域の各ＳＤ領域のデータをＨＤフォーマットにおける１ラインの長さとなるようにサンプリング変換してから前記第１のＶＢＩ領域の各ＳＤ補助データを前記対応ＨＤ補助データに重畳し、
前記ダウンコンバータは、前記第２のＶＢＩ領域の各ＳＤ領域のデータをＳＤフォーマットにおける１ラインの長さとなるようにサンプリング変換してから前記第２のＶＢＩ領域の各ＨＤ補助データを前記対応ＳＤ補助データに重畳することを特徴とする請求項２記載のビデオサーバシステム。
【請求項４】
前記アップコンバータは、前記第１のＶＢＩ領域の各ＳＤ補助データの画素が前記変換ＨＤ番組映像の画素と一対一で対応するように前記ＳＤ補助データを前記対応ＨＤ補助データに重畳し、
前記ダウンコンバータは、前記第２のＶＢＩ領域の各ＨＤ補助データの画素が前記送出ＳＤ番組映像の画素と一対一で対応するように前記ＨＤ補助データを前記対応ＳＤ補助データに重畳することを特徴とする請求項２記載のビデオサーバシステム。
【請求項５】
前記アップコンバータは、前記第１のＶＢＩ領域の各ＳＤ補助データの画素が前記変換ＨＤ番組映像の画素と一対一で対応し、かつ前記第１のＶＢＩ領域の複数の補助データが前記変換ＨＤ番組映像の一つの補助データに対応するように前記ＳＤ補助データを前記対応ＨＤ補助データに重畳し、
前記ダウンコンバータは、前記第２のＶＢＩ領域の各ＨＤ補助データの画素が前記送出ＳＤ番組映像の画素と一対一で対応し、かつ前記第２のＶＢＩ領域の一つの補助データが前記送出ＳＤ番組映像の複数の補助データに対応するように前記ＨＤ補助データを前記対応ＳＤ補助データに重畳することを特徴とする請求項２記載のビデオサーバシステム。
【請求項６】
前記アップコンバータは、前記第１のＶＢＩ領域の各ＳＤ補助データを抽出する第１の抽出器と、前記第１の抽出器により抽出されたＳＤ補助データを前記対応ＨＤ補助データに重畳する第１の重畳器とを有し、
前記ダウンコンバータは、前記第２のＶＢＩ領域の各ＨＤ補助データを抽出する第２の抽出器と、前記第２の抽出器により抽出されたＨＤ補助データを前記対応ＳＤ補助データに重畳する第２の重畳器とを有することを特徴とする請求項２記載のビデオサーバシステム。
【請求項７】
前記サーバは、前記第１のＶＢＩ領域の各ＳＤ補助データのＳＤ走査線番号と前記変換ＨＤ番組映像の各ＨＤ走査線番号とを対応付けて記憶し、さらに前記第２のＶＢＩ領域の各ＨＤ走査線番号と前記送出ＳＤ番組映像の各走査線番号とを対応付けて記憶したテーブルと、該テーブルを参照して前記アップコンバータ及びダウンコンバータに対して前記対応ＨＤ走査線及び前記対応ＳＤ走査線を指定する制御部とを有することを特徴とする請求項２記載のビデオサーバシステム。
【請求項８】
収録ＳＤ(Standard Definition)番組映像をＳＤ／ＨＤ変換してＨＤ(High Definition)フォーマットと同一走査線数の変換ＨＤ番組映像を生成する手段と、
前記収録ＳＤ番組映像中のＶＢＩ(Vertical Blanking Interval）領域の各ＳＤ補助データを前記変換ＨＤ番組映像中の予め定められた対応ＨＤ補助データに重畳する手段と、を具備することを特徴とするアップコンバータ。
【請求項９】
収録ＳＤ(Standard Definition)番組映像をＳＤ／ＨＤ変換して得られる変換ＨＤ番組映像をＨＤ／ＳＤ変換して送出ＳＤ番組映像を生成する手段と、
前記変換ＨＤ番組映像中のＶＢＩ領域の各ＨＤ補助データを前記送出ＳＤ番組映像中の予め定められた対応ＳＤ補助データに重畳する手段と、を具備することを特徴とするダウンコンバータ。
【発明の詳細な説明】
【技術分野】
【０００１】
本発明は、サイマル放送に好適なビデオ処理方法、ビデオサーバシステムとこれに用いられるアップコンバータ及びダウンコンバータに関する。
【背景技術】
【０００２】
地上デジタル放送の実用化に伴い、放送側ではＨＤ(High Definition)規格に対応したＨＤサーバ（ＨＤビデオサーバともいう）と呼ばれるビデオサーバ（番組サーバ）が採用されている。地上デジタル放送の番組素材としては現在、ＨＤカメラあるいはＨＤテレシネ等により収録されたデジタル素材と、従来からのアナログ放送で採用されている同様ＳＤ(Standard Definition)規格によるアナログ素材が共存している。
【０００３】
主に映画番組で用いられる字幕に関しては、デジタル素材ではデジタル字幕が用いられるが、アナログ素材では垂直ブランキング期間に多重されたアナログのＶＢＩ(Vertical Blanking Interval）データによるアナログ字幕が用いられる。ＶＢＩデータは、字幕のほか、ＣＭ確認、ＮＥＴ−ＣＵＥなどにも利用されている。
【０００４】
ＨＤサーバは本来、デジタル素材であるＨＤ番組映像を収録して送出するためのシステムである。我が国では現在、アナログ放送とデジタル放送を同時運用するサイマル放送が実施されている。従って、ＨＤサーバはサイマル放送にも対応できるようにするため、アナログ素材であるＳＤ番組映像の収録及び送出も可能なように構成されることが望ましい。その場合、ＨＤとＳＤとの走査線数の違いに対応するため、ＳＤ番組映像はアップコンバータによりＨＤ番組映像に変換されてＨＤサーバに収録される。ＨＤサーバに収録されたＨＤ番組映像は、ダウンコンバータによりＳＤ番組映像に変換されて送出される。アップコンバータには補間等のためのフィルタが内蔵され、ダウンコンバータにはエッジ強調等のためのフィルタが内蔵される。
【０００５】
ところで、アナログＶＢＩデータを含むＳＤ番組映像をＨＤ番組映像に変換してＨＤサーバに蓄積する場合、及びＨＤサーバに蓄積されたＨＤ番組映像をＳＤ番組映像に戻して送出する場合には、アップコンバータやダウンコンバータに設けられた上記フィルタの処理によりＶＢＩデータが歪み、字幕等が著しく劣化するという問題がある。
【０００６】
一方、特許文献１にはサイマル放送のための放送側システムが示されている。しかし、特許文献１では字幕データについてはデジタル放送とアナログ放送とで個別に処理がなされており、同じサーバでデジタル字幕データとアナログ字幕データを処理するようなことは開示していない。
【特許文献１】特開２００５−３２８１２０号公報
【発明の開示】
【発明が解決しようとする課題】
【０００７】
上述したように、従来の技術ではＳＤ番組映像をＨＤサーバにＨＤ番組映像として蓄積し、それをＳＤ番組映像に戻して送出する場合、アップコンバータやダウンコンバータに設けられたフィルタの処理によりアナログＶＢＩデータが歪み、字幕等が著しく劣化するという問題があった。
【０００８】
本発明は、ＳＤ番組映像をＨＤサーバに収録する場合や、ＨＤサーバにＨＤ番組映像として蓄積されたＳＤ番組映像を送出する場合にＶＢＩデータが歪まないようにすることができるビデオサーバシステム及びこれに用いられるアップコンバータ及びダウンコンバータを提供することを目的とする。
【課題を解決するための手段】
【０００９】
上記の課題を解決するため、本発明の一態様に従うビデオ処理方法は、収録ＳＤ(Standard Definition)番組映像をＳＤ／ＨＤ変換して変換ＨＤ(High Definition)番組映像を生成するステップと、サーバに収録ＨＤ番組映像及び前記変換ＨＤ番組映像を蓄積するステップと、前記収録ＳＤ番組映像中の第１のＶＢＩ(Vertical Blanking Interval）領域の各ＳＤ補助データを前記変換ＨＤ番組映像中の予め定められた対応ＨＤ補助データに載せ替えるステップと、前記サーバから前記収録ＨＤ番組映像及び前記変換ＨＤ番組映像を送出指令に従って出力するステップと、前記サーバから出力される変換ＨＤ番組映像をＨＤ／ＳＤ変換して送出ＳＤ番組映像を生成するステップと、前記サーバから出力される変換ＨＤ番組映像中の第２のＶＢＩ領域の各ＨＤ補助データを前記送出ＳＤ番組映像中の予め定められた対応ＳＤ補助データに載せ替えるステップとを有することを特徴とする。
【００１０】
本発明の一態様によるビデオサーバシステムは、収録ＳＤ(Standard Definition)番組映像をＳＤ／ＨＤ変換して変換ＨＤ(High Definition)番組映像を生成すると共に、前記収録ＳＤ番組映像中の第１のＶＢＩ(Vertical Blanking Interval）領域の各ＳＤ補助データを前記変換ＨＤ番組映像中の予め定められた対応ＨＤ補助データに重畳するアップコンバータと、収録ＨＤ番組映像及び前記変換ＨＤ番組映像を蓄積し、送出指令に従って出力するサーバと、前記サーバから出力される変換ＨＤ番組映像をＨＤ／ＳＤ変換して送出ＳＤ番組映像を生成すると共に、前記サーバから出力される変換ＨＤ番組映像中の第２のＶＢＩ領域の各ＨＤ補助データを前記送出ＳＤ番組映像中の予め定められた対応ＳＤ補助データに重畳するダウンコンバータとを有することを特徴とする。
【発明の効果】
【００１１】
本発明の一態様によると、収録ＳＤ番組映像中のＶＢＩデータ（アナログＶＢＩデータ）については、映像データとは別個に、ＳＤ走査線からＨＤ走査線への載せ替えを行ってサーバに蓄積し、送出ＳＤ番組映像中のＶＢＩデータに対してはＨＤ走査線からＳＤ走査線への載せ替えを行うことにより、フィルタ処理によるＶＢＩデータの歪みによる劣化を防止することができる。
【発明を実施するための最良の形態】
【００１２】
以下、図面を参照して本発明の実施形態について説明する。  
図１に示されるように、本発明の一実施形態に従うビデオサーバシステムには、収録されたＨＤ番組映像（収録ＨＤ番組映像という）１１及び収録されたＳＤ番組映像（収録ＳＤ番組映像という）１２がＨＤ収録ライン及びＳＤ収録ラインをそれぞれ通じて入力される。収録ＨＤ番組映像１１は、ＨＤサーバ１５に直接入力される。一方、収録ＳＤ番組映像１２はアップコンバータ（Ｕ／Ｃ）１３によりＳＤ／ＨＤ変換のためにサンプリング変換及びフィルタ処理が施されることにより、ＨＤフォーマットと同一走査線数のＨＤ番組映像（変換ＨＤ番組映像という）１４とされる。変換ＨＤ番組映像１４は、ＨＤサーバ１５に入力される。
【００１３】
ＨＤサーバ１５は、本来の機能として収録ＨＤ番組映像１１を蓄積し、適宜与えられる送出指令に従って送出する機能を有する。具体的には、収録ＨＤ番組映像１１をＭＰＥＧ−２その他の動画像符号化技術を用いたエンコーダにより符号化して圧縮し、これにより得られた符号化データを高速アクセス可能な大容量記憶装置（例えばフラッシュメモリ）に蓄積する。ＨＤサーバ１５は、ユーザにより送出指令が与えられると、大容量記憶装置から符号化データを読み出し、それをデコーダにより復号して送出すべきＨＤ番組映像（送出ＨＤ番組映像という）１６を出力する。送出ＨＤ番組映像１６は、ＨＤ送出ラインへ送出される。
【００１４】
ＨＤサーバ１５はさらにサイマル放送に対応するため、変換ＨＤ番組映像１４に対しても収録ＨＤ番組映像１１と同様の符号化及び蓄積と読み出し及び復号の処理を行い、送出用の変換ＨＤ番組映像１７を出力する。ＨＤサーバ１５から出力される変換ＨＤ番組映像１７は、ダウンコンバータ（Ｄ／Ｃ）１８によりＨＤ／ＳＤ変換のためにサンプリング変換及びフィルタ処理が施されることによって、ＳＤフォーマットと同一走査線数の送出すべきＳＤ番組映像（送出ＳＤ番組映像という）１９とされる。送出ＳＤ番組映像１９は、ＳＤ送出ラインへ送出される。
【００１５】
収録ＳＤ番組映像１２には、アナログのＶＢＩデータが含まれている。ＶＢＩデータはＶＢＩ領域（垂直ブランキング期間）に重畳されており、内容としては例えばアナログ字幕データ、ＣＭ確認データ、ＮＥＴ−ＣＵＥ（ネットキュー）データ及び文字放送データなどを含んでいる。
【００１６】
収録ＳＤ番組映像１２中のＶＢＩデータ（第１のＶＢＩデータ）は、アップコンバータ１３において映像データとは異なる処理が施される。具体的には、後に詳しく述べるように収録ＳＤ番組映像１２中のＶＢＩ領域の各走査線のデータ（ＳＤ補助データという）は、アップコンバータ１３から出力される変換ＨＤ番組映像１４中の予め定められたＨＤ走査線（対応ＨＤ走査線という）のデータ（ＨＤ補助データという）に重畳される。すなわち、収録ＳＤ番組映像１２中のＶＢＩ領域の各ＳＤ補助データは、変換ＨＤ番組映像１４上で走査線載せ替え処理が行われる。
【００１７】
一方、アップコンバータ１３から出力される変換ＨＤ番組映像１４は、前述のようにＨＤサーバ１５に収録され、ＨＤサーバ１５から送出用の変換ＨＤ番組映像１７として出力され、ダウンコンバータ１８に入力される。
【００１８】
アップコンバータ１３における収録ＳＤ番組映像１２中のＶＢＩデータに対する走査線載せ替え処理に対応して、ダウンコンバータ１８においてはＨＤサーバ１５から出力される変換ＨＤ番組映像１７中のＶＢＩデータ（第２のＶＢＩデータ）に対して走査線載せ替え処理が施される。具体的には、後に詳しく述べるようにＨＤサーバ１５から出力される変換ＨＤ番組映像１７中のＶＢＩ領域の各走査線のデータ（ＨＤ補助データという）は、ダウンコンバータ１８から出力される送出ＳＤ番組映像１９中の予め定められたＳＤ走査線（対応ＳＤ走査線という）に重畳される。すなわち、変換ＨＤ番組映像１７中のＶＢＩ領域の各ＨＤ補助データは、送出ＳＤ番組映像１９上で走査線載せ替え処理が行われる。
【００１９】
上述のようなＶＢＩデータの走査線載せ替え処理を行うため、ＨＤサーバ１５には図２に示すようなＶＢＩデータ載せ替え管理テーブル２１がＲＯＭとして用意され、さらに当該テーブル２１を参照してアップコンバータ１３及びダウンコンバータ１８を制御する制御部２２が設けられている。
【００２０】
図２に示すテーブル２１は、ＶＢＩデータが２種類のＣＭ確認データ、文字放送データ、アナログ字幕データ及び２種類のＮＥＴ−ＣＵＥデータを含んでいる場合の例であり、これらの各データに対応してアップコンバータ１３の入出力のＶＢＩデータの走査線番号が対応付けられて記憶され、ダウンコンバータ１８の入出力のＶＢＩデータの走査線番号が対応付けられて記憶されている。
【００２１】
収録ＳＤ番組映像１２（アップコンバータ１３の入力）及び送出ＳＤ番組映像１９（ダウンコンバータ１８の出力）中のＶＢＩデータの走査線番号は、規格によって定められており、基本的に変更はできない。これに対して、変換ＨＤ番組映像１４及び１７（アップコンバータ１３の出力及びダウンコンバータ１９の入力）中のＶＢＩデータの走査線番号については、任意に定めることができる。
【００２２】
図２の例によると、例えば字幕データはアップコンバータ１３の入力（収録ＳＤ番組映像１２）では２１番目のＳＤ走査線であり、アップコンバータ１３の出力（変換ＨＤ番組映像１４）では１５番目のＨＤ走査線に載せ替えられる。さらに、字幕データはダウンコンバータ１８の入力（変換ＨＤ番組映像）１７では１５番目のＨＤ走査線であり、ダウンコンバータ１８の出力（送出ＳＤ番組映像１９）では２１番目のＳＤ走査線に載せ替えられる。他のＣＭ確認データ、文字放送データ、ＮＥＴ−ＣＵＥデータ等についても同様である。
【００２３】
制御部２２は、テーブル２１を参照することによりアップコンバータ１３及びダウンコンバータ１８に対して、対応ＨＤ走査線及び対応ＳＤ走査線を指定する制御信号２３及び２４を供給する。これによってアップコンバータ１３及びダウンコンバータ１８においてＶＢＩデータの走査線載せ替えが行われる。
【００２４】
このように収録ＳＤ番組映像１２中のＶＢＩデータについては、映像データとは別個に、ＳＤ走査線からＨＤ走査線への載せ替えを行ってＨＤサーバ１５に蓄積する。一方、送出ＳＤ番組映像１９中のＶＢＩデータに対しては、逆にＨＤ走査線からＳＤ走査線への載せ替えを行う。従って、本実施形態によるとＶＢＩデータは映像データのようにフィルタ処理を受けることがないので、ＶＢＩデータが歪みにより劣化することはない。
【００２５】
以下、図３〜図９を用いてＶＢＩデータの走査線載せ替え機能を有するアップコンバータ１３及びダウンコンバータ１８の具体例と動作について説明する。
【００２６】
（第１の具体例）  
図３はアップコンバータ１３の第１の具体例であり、ライン抽出器３１、映像データ用サンプリング変換器３２、フィルタ３３、ライン重畳器３４及びＶＢＩデータ用サンプリング変換器３５を有する。
【００２７】
ライン抽出器３１においては、図１中に示した制御部２２からの制御信号２３に従って、アップコンバータ１３の入力である収録ＳＤ番組映像１２から、ＶＢＩデータが抽出される。言い換えれば、ライン抽出器３１では収録ＳＤ番組映像１２から映像データとＶＢＩデータが分離して抽出される。
【００２８】
ライン抽出器３１から出力される映像データは、映像データ用サンプリング変換器３２によりＮＴＳＣベースで走査線数（５２５本）がＨＤフォーマットの走査線数（１１２５本）に変換される。サンプリング変換器３２の出力信号はフィルタ３３により補間等のフィルタ処理が行われた後、ライン重畳器３４を介して変換ＨＤ番組映像１４として出力される。
【００２９】
一方、ライン抽出器３１により抽出されたＶＢＩデータは、図４（ａ）に示す各ＳＤ補助データ（７２０画素／ライン）がＶＢＩデータ用サンプリング変換器３５により、図４（ｂ）に示すＨＤフォーマットにおける１ラインの長さ（１９２０画素）となるようにアップサンプリングされる。
【００３０】
こうしてＶＢＩデータ用サンプリング変換器３５によりサンプリング変換されたＶＢＩ領域の各ＳＤ補助データは、ライン重畳器３４によって変換ＨＤ番組映像１４中の対応ＨＤ走査線に重畳される。すなわち、ＶＢＩデータの走査線載せ替えが行われる。この場合、ライン重畳器３４における載せ替え先の対応ＨＤ走査線は、図１中に示した制御部２２からの制御信号２３によって指示される。図２に示したテーブル２１に従うと、例えば字幕データは収録ＳＤ番組映像１２上では２１番目のＳＤ走査線であり、変換ＨＤ番組映像１４上では１５番目のＨＤ走査線に載せ替えられる。
【００３１】
図５は、図３に示した例のアップコンバータ１３に対応するダウンコンバータ１８の具体例であり、ライン抽出器４１、映像データ用サンプリング変換器４２、フィルタ４３、ライン重畳器４４及びＶＢＩデータ用サンプリング変換器４５を有する。
【００３２】
ライン抽出器４１においては、図１中に示した制御部２２からの制御信号２４に従って、ＨＤサーバ１５からの出力である変換ＨＤ番組映像１７から、ＶＢＩデータが抽出される。言い換えれば、ライン抽出器４１では変換ＨＤ番組映像１７から映像データとＶＢＩデータが分離して抽出される。
【００３３】
ライン抽出器４１から出力される映像データは、映像データ用サンプリング変換器４２によりＮＴＳＣベースで走査線数（１１２５本）がＳＤフォーマットの走査線数（５２５本）に変換される。サンプリング変換器４２の出力信号は、フィルタ４３によりエッジ強調等のフィルタ処理が行われた後、ライン重畳器４４を介して送出ＳＤ番組映像１９として出力される。
【００３４】
一方、ライン抽出器４１により抽出されたＶＢＩデータは、図３に示したアップコンバータ１３と逆の処理が行われる。すなわち、ＶＢＩ領域中の各ＨＤ補助データ（１９２０画素／ライン）はＶＢＩデータ用サンプリング変換器４５により、ＳＤフォーマットにおける１ラインの長さ（７２０画素）となるようにダウンサンプリングされる。
【００３５】
こうしてＶＢＩデータ用サンプリング変換器４５によりサンプリング変換されたＶＢＩ領域の各ＨＤ補助データは、ライン重畳器４４によって送出ＳＤ番組映像１９中の対応ＳＤ走査線に重畳される。すなわち、図３に示したアップコンバータ１３で行われたＶＢＩデータの走査線載せ替え処理とは逆の走査線載せ替え処理が行われる。この場合、ライン重畳器４４における載せ替え先の対応ＳＤ走査線は、図１中に示した制御部２２からの制御信号２４によって指示される。図２に示したテーブル２１に従うと、例えば字幕データは変換ＨＤ番組映像１７上では１５番目のＨＤ走査線に載せ替えられているが、送出ＳＤ番組映像１９上では元の２１番目のＳＤ走査線に載せ替えられる。
【００３６】
（第２の具体例）  
図６はアップコンバータ１３の第２の具体例であり、ライン抽出器３１、映像データ用サンプリング変換器３２、フィルタ３３及びライン重畳器３４については、図３に示した第１の具体例のアップコンバータ１３と同様である。第２の具体例のアップコンバータ１３では、図３に示したＶＢＩデータ用サンプリング変換器がなく、ライン抽出器３１により収録ＳＤ番組映像１２から抽出されたＶＢＩデータが直通ライン３６を介してライン重畳器３４に直接入力される。
【００３７】
この場合、ＶＢＩデータは例えば図７（ａ）に示す各ＳＤ補助データ（７２０画素／ライン）の画素が図７（ｂ）に示す変換ＨＤ番組映像１４の対応ＨＤ補助データの画素と一対一で対応するように、ＳＤ補助データが対応ＨＤ走査線に重畳される。この例では、ＶＢＩ領域のＳＤ補助データが重畳される対応ＨＤ走査線は図７（ｂ）に示すように例えば最初の７２０画素のみＳＤ補助データが重畳されており、残りの１２２０画素は空きとなっている。
【００３８】
第２の具体例においては、図８（ａ）（ｂ）（ｃ）に示すように収録ＳＤ番組映像１２から抽出されたＶＢＩ領域のＳＤ補助データと、変換ＨＤ番組映像１４中の対応ＨＤ補助データとの対応付けを行ってもよい。この場合、ＳＤ補助データの画素と変換ＨＤ番組映像１４の対応ＨＤ補助データの画素とを一対一で対応させることは図７（ａ）（ｂ）の例と同様であるが、走査線単位の対応付けが図７（ａ）（ｂ）とは異なる。
【００３９】
すなわち、第２の具体例ではＶＢＩ領域の複数の走査線のＳＤ補助データ、例えば図８（ａ）（ｂ）に示す連続する２つの走査線（ＳＤライン１及びＳＤライン２）が図８（ｃ）に示す変換ＨＤ番組映像の一つの走査線に対応するように、ＳＤ補助データを対応ＨＤ走査線に重畳している。この場合、ＶＢＩ領域の２本の走査線のＳＤ補助データが重畳される対応ＨＤ走査線は、図８（ｃ）に示すように１４４０画素に２本のＳＤ補助データが重畳されており、残りの４８０画素が空きとなっている。
【００４０】
図９は、図６に示した例のアップコンバータ１３に対応するダウンコンバータ１８の具体例であり、ライン抽出器４１、映像データ用サンプリング変換器４２、フィルタ４３及びライン重畳器４４については図５に示した第１の具体例のダウンコンバータと同様である。第２の具体例のダウンコンバータ１８では、図５に示したＶＢＩデータ用サンプリング変換器がなく、ライン抽出器４１により変換ＳＤ番組映像１７から抽出されたＶＢＩデータが直通ライン４６を介してライン重畳器４４に直接入力される。
【００４１】
変換ＳＤ番組映像１７からライン抽出器４１により抽出されたＶＢＩデータは、図５に示したアップコンバータ１３と逆の処理が行われ、ＶＢＩ領域の各ＨＤ補助データ（１９２０画素／ライン）は、ライン重畳器４４によって送出ＳＤ番組映像１９中の対応ＳＤ走査線に重畳される。すなわち、図５に示したアップコンバータ１３で行われたＶＢＩデータの走査線載せ替え処理とは逆の走査線載せ替え処理が行われる。この場合、ライン重畳器４４における載せ替え先の対応ＨＤ走査線は、図１中に示した制御部２２からの制御信号２３によって指示される。図２に示したテーブル２１に従うと、例えば字幕データは変換ＨＤ番組映像１７上では１５番目のＨＤ走査線に載せ替えられているが、送出ＳＤ番組映像１９上では元の２１番目のＳＤ走査線に載せ替えられる。
【００４２】
上述した第２の具体例によると、ＶＢＩデータについてはアップコンバータ１３及びダウンコンバータ１８において走査線載せ替え以外の処理を行う必要がなか、劣化はさらに抑えられる。
【００４３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４４】
【図１】本発明の一実施形態に従うビデオサーバシステムを示すブロック図
【図２】図１中に示したＶＢＩデータ載せ替え管理テーブルの例を示す図
【図３】図１中のアップコンバータの第１の具体例を示すブロック図
【図４】図３に示すアップコンバータの入出力におけるＶＢＩデータの波形例を示す図
【図５】図１中のダウンコンバータの第１の具体例を示すブロック図
【図６】図１中のアップコンバータの第２の具体例を示すブロック図
【図７】図６に示すアップコンバータの入出力におけるＶＢＩデータの波形例を示す図
【図８】図６に示すアップコンバータの入出力におけるＶＢＩデータの他の波形例を示す図
【図９】図１中のダウンコンバータの第２の具体例を示すブロック図
【符号の説明】
【００４５】
１１・・・収録ＨＤ番組映像
１２・・・収録ＳＤ番組映像
１３・・・アップコンバータ
１４・・・変換ＨＤ番組映像
１５・・・ＨＤサーバ
１６・・・送出ＨＤ番組映像
１７・・・変換ＨＤ番組映像
１８・・・ダウンコンバータ
１９・・・送出ＳＤ番組映像
２１・・・テーブル（ＲＯＭ）
２２・・・制御部
３１・・・ライン抽出器
３２・・・映像データ用サンプリング変換器
３３・・・フィルタ
３４・・・ライン挿入器
３５・・・ＶＢＩデータ用サンプリング変換器
３６・・・直通ライン
４１・・・ライン抽出器
４２・・・映像データ用サンプリング変換器
４３・・・フィルタ
４４・・・ライン挿入器
４５・・・ＶＢＩデータ用サンプリング変換器
４６・・・直通ライン
【図１】
2008236332.tif 000003
【図２】
2008236332.tif 000004
【図３】
2008236332.tif 000005
【図４】
2008236332.tif 000006
【図５】
2008236332.tif 000007
【図６】
2008236332.tif 000008
【図７】
2008236332.tif 000009
【図８】
2008236332.tif 000010
【図９】
2008236332.tif 000011